(57)【要約】      （修正有）【課題】すぐれた防水機能を有する曲面瓦の実装構造を提供する。【解決手段】曲面瓦の実装構造は、第一の曲面瓦１と第二の曲面瓦２を含み、第一の曲面瓦と第二の曲面瓦は何れも瓦本体３を含み、瓦本体の両端はそれぞれ第一の弧状当接部３１と第二の弧状当接部３２であり、第一の弧状当接部の弧状面は下方を向き、第二の弧状当接部の弧状面は上方を向き、第一の曲面瓦の第一の弧状当接部が第二の曲面瓦の第二の弧状当接部に当接されており、第一の曲面瓦と第二の曲面瓦の当接箇所に防水構造が設けられる。防水構造は、第二の弧状当接部の弧状面底部よりも高い位置に設けられた止水構造４で形成されている。【選択図】図２
0003222385.tif 000002
【実用新案登録請求の範囲】
【請求項１】
第一の曲面瓦と第二の曲面瓦を含み、前記第一の曲面瓦と前記第二の曲面瓦は何れも瓦本体を含み、前記瓦本体の両端はそれぞれ第一の弧状当接部と第二の弧状当接部であり、前記第一の弧状当接部の弧状面は下方を向き、前記第二の弧状当接部の弧状面は上方を向き、前記第一の曲面瓦の前記第一の弧状当接部が前記第二の曲面瓦の前記第二の弧状当接部に当接されており、前記第一の曲面瓦と前記第二の曲面瓦の当接箇所に防水構造が設けられている、曲面瓦の実装構造。
【請求項２】
前記第一の曲面瓦の前記第一の弧状当接部の前端と前記第二の曲面瓦の第二の弧状当接部が接触する位置を第一の位置とし、前記防水構造は第一の止水構造を含み、前記第一の止水構造は前記第一の位置に設けられている、請求項１に記載の曲面瓦の実装構造。
【請求項３】
前記第一の位置は前記第二の曲面瓦の第二の弧状当接部の弧状面底部よりも高い、請求項２に記載の曲面瓦の実装構造。
【請求項４】
前記第一の位置と前記第二の曲面瓦の前記第二の弧状当接部の弧状面底部の高さの差が５ｍｍより大きい、請求項３に記載の曲面瓦の実装構造。
【請求項５】
前記第二の曲面瓦の前記第二の弧状当接部の前端と前記第一の曲面瓦の第一の弧状当接部が接触する位置を第二の位置とし、前記第二の位置に緩衝構造が設けられている、請求項２に記載の曲面瓦の実装構造。
【請求項６】
前記第二の位置は前記第一の位置よりも高い、請求項５に記載の曲面瓦の実装構造。
【請求項７】
前記第二の位置と前記第一の位置の高さの差が１０ｍｍより大きい、請求項６に記載の曲面瓦の実装構造。
【請求項８】
前記第一の止水構造が前記第一の位置に接着され、前記緩衝構造が前記第二の位置に接着されている、請求項５に記載の曲面瓦の実装構造。
【請求項９】
前記第一の止水構造と前記緩衝構造の材料は同一であるか又は異なり、何れも防水接着剤塗布層または止水パッキンのうちの一種から選択される、請求項５に記載の曲面瓦の実装構造。
【請求項１０】
前記止水パッキンはゴム製の止水パッキンである、請求項９に記載の曲面瓦の実装構造。
【請求項１１】
前記止水パッキンの横断面は矩形又はＬ形又はＵ形である、請求項１０に記載の曲面瓦の実装構造。
【請求項１２】
前記止水パッキンの機能する厚さは２ｍｍ以上であり、前記止水パッキンが前記第一の曲面瓦と前記第二の曲面瓦の間で機能する位置の厚さである、請求項１０に記載の曲面瓦の実装構造。
【請求項１３】
前記第一の曲面瓦の前記第一の弧状当接部の前端と前記第二の曲面瓦の第二の弧状当接部が接触する位置を第一の位置とし、前記第一の位置は前記第二の曲面瓦の第二の弧状当接部の弧状面底部よりも高い、請求項１に記載の曲面瓦の実装構造。
【請求項１４】
前記第一の位置は前記第二の曲面瓦の第二の弧状当接部の弧状面底部との高さの差が１０ｍｍより大きい、請求項１３に記載の曲面瓦の実装構造。
【請求項１５】
前記第二の曲面瓦の前記第二の弧状当接部の前端と前記第一の曲面瓦の第一の弧状当接部の間に隙間を有する、請求項１に記載の曲面瓦の実装構造。
【請求項１６】
前記第二の曲面瓦の前記第二の弧状当接部の前端と前記第一の曲面瓦の第一の弧状当接部が接触する位置を第二の位置とし、前記防水構造は第二の止水構造を含み、前記第二の止水構造は前記第二の位置に設けられている、請求項１に記載の曲面瓦の実装構造。
【請求項１７】
前記第二の位置に緩衝構造が設けられている、請求項１６に記載の曲面瓦の実装構造。
【請求項１８】
前記第二の止水構造と前記緩衝構造は前記第一の曲面瓦が前記第二の曲面瓦に当接する位置に沿って間隔をおいて設けられている、請求項１７に記載の曲面瓦の実装構造。
【請求項１９】
前記第一の弧状当接部と前記第二の弧状当接部の働き巾の長さは何れも３０〜５００ｍｍであり、アーチの高さは何れも１５〜５０ｍｍである、請求項１〜１８の何れか１項に記載の曲面瓦の実装構造。
【考案の詳細な説明】
【関連出願の相互参照】
【０００１】
本考案は、２０１８年４月１４日に中国国家知識産権局へ提出された、出願番号を２０１８２０５３２２７１．５とし、発明の名称を「曲面瓦の実装構造」とする中国特許出願の優先権と権益を主張し、そのすべての内容を引用により本考案に援用する。
【技術分野】
【０００２】
本考案は瓦の実装技術分野に関するものであり、特に曲面瓦の実装構造に関するものである。
【背景技術】
【０００３】
瓦は屋根建材として、雨漏り防止、断熱、紫外線遮断という機能を持つ。瓦の歴史は長く、古くから現代に至るまでに材質から多種類に分けられてきた。陶土瓦、セメント瓦、釉薬瓦及び新型の金属瓦、ガラス剛瓦などである。技術の発展に伴い、屋根用の瓦には部分的に新たな機能が与えられた。省エネ瓦、ソーラー瓦などである。
【考案の内容】
【０００４】
本考案は、第一の曲面瓦と第二の曲面瓦を含み、前記第一の曲面瓦と前記第二の曲面瓦は何れも瓦本体を含み、前記瓦本体の両端はそれぞれ第一の弧状当接部と第二の弧状当接部であり、前記第一の弧状当接部の弧状面は下方を向き、前記第二の弧状当接部の弧状面は上方を向き、前記第一の曲面瓦の前記第一の弧状当接部が前記第二の曲面瓦の前記第二の弧状当接部に当接されており、前記第一の曲面瓦と前記第二の曲面瓦の当接箇所に防水構造が設けられている、曲面瓦の実装構造を提供する。
【０００５】
一部の実施形態において、前記第一の曲面瓦の前記第一の弧状当接部の前端と前記第二の曲面瓦の第二の弧状当接部が接触する位置を第一の位置とし、前記防水構造は第一の止水構造を含み、前記第一の止水構造は前記第一の位置に設けられている。
【０００６】
一部の実施形態において、前記第一の位置は前記第二の曲面瓦の第二の弧状当接部の弧状面底部よりも高い。
【０００７】
一部の実施形態において、前記第一の位置と前記第二の曲面瓦の第二の弧状当接部の弧状面底部の高さの差が５ｍｍより大きい。
【０００８】
一部の実施形態において、前記第二の曲面瓦の前記第二の弧状当接部の前端と前記第一の曲面瓦の第一の弧状当接部が接触する位置を第二の位置とし、前記第二の位置に緩衝構造が設けられている。
【０００９】
一部の実施形態において、前記第二の位置は前記第一の位置よりも高い。
【００１０】
一部の実施形態において、前記第二の位置と前記第一の位置の高さの差が１０ｍｍより大きい。
【００１１】
一部の実施形態において、前記止水構造が前記第一の位置に接着され、前記緩衝構造が前記第二の位置に接着されている。
【００１２】
一部の実施形態において、前記第一の止水構造と前記緩衝構造の材料は同一であるか又は異なり、何れも防水接着剤塗布層または止水パッキンのうちの一種から選択される。
【００１３】
一部の実施形態において、前記止水パッキンはゴム製の止水パッキンである。
【００１４】
一部の実施形態において、前記止水パッキンの横断面は矩形又はＬ型又はＵ型である。
【００１５】
一部の実施形態において、前記止水パッキンの機能する厚さは２ｍｍ以上であり、前記止水パッキンが前記第一の曲面瓦と前記第二の曲面瓦の間で機能する位置の厚さである。
【００１６】
一部の実施形態において、前記第一の曲面瓦の前記第一の弧状当接部の前端と前記第二の曲面瓦の第二の弧状当接部が接触する位置を第一の位置とし、前記第一の位置は前記第二の曲面瓦の第二の弧状当接部の弧状面底部よりも高い。
【００１７】
一部の実施形態において、前記第一の位置は前記第二の曲面瓦の第二の弧状当接部の弧状面底部との高さの差が１０ｍｍより大きい。
【００１８】
一部の実施形態において、前記第二の曲面瓦の前記第二の弧状当接部の前端と前記第一の曲面瓦の第一の弧状当接部の間に隙間を有する。
【００１９】
一部の実施形態において、前記第二の曲面瓦の前記第二の弧状当接部の前端と前記第一の曲面瓦の第一の弧状当接部が接触する位置を第二の位置とし、前記防水構造は第二の止水構造を含み、前記第二の止水構造は前記第二の位置に設けられている。
【００２０】
一部の実施形態において、前記第二の位置に緩衝構造が設けられている。
【００２１】
一部の実施形態において、前記第二の止水構造と前記緩衝構造は前記第一の曲面瓦が前記第二の曲面瓦に当接する位置に沿って間隔をおいて設けられている。
【００２２】
一部の実施形態において、前記第一の弧状当接部と前記第二の弧状当接部の働き巾の長さは何れも３０〜５００ｍｍであり、アーチの高さは何れも１５〜５０ｍｍである。
【図面の簡単な説明】
【００２３】
ここで説明する図は本考案をより理解するために提供されるものであり、本考案の一部を構成する。一方、本考案の明示的実施形態及びその説明は本考案の説明に用いられるものであって、本考案を不適切に限定するものではない。
【図１】本考案の例示的実施形態にて提供する瓦の実装構造の構造模式図である。
【図２】本考案の一部の実施形態にて提供する曲面瓦の実装構造の構造模式図である。
【図３】本考案の一部の実施形態にて提供するもう１つの曲面瓦の実装構造の構造模式図である。
【図４】本考案の一部の実施形態にて提供するもう１つの曲面瓦の実装構造の構造模式図である。
【図５】本考案の一部の実施形態にて提供するもう１つの曲面瓦の実装構造の構造模式図である。
【図６】本考案の一部の実施形態にて提供する第二の止水構造と緩衝構造の位置関係を示す模式図である。
【図７】本考案の一部の実施形態が提供する曲面瓦の実装構造の第一の弧状当接部が第二の弧状当接部に当接することを示す構造模式図である。
【図８】本考案の一部の実施形態が提供する曲面瓦の実装構造の止水パッキンの３つの実現方法を示す構造模式図である。
【具体的な実施形態】
【００２４】
以下では、本考案の実施形態における図面を組み合わせて本考案の実施形態における技術案を明瞭かつ全体的に説明する。当然ではあるが、ここで説明する実施形態は本考案の実施形態の一部であって、すべての実施形態ではない。本考案内の実施形態に基づき当業者が創造力を働かせることなく得られる他の実施形態は何れも本考案の請求範囲内となる。
【００２５】
本考案の説明において、「中心」、「上」、「下」、「前」、「後」、「左」、「右」、「垂直」、「水平」、「頂」、「底」、「内」、「外」等の技術用語が示す方向又は位置関係は、図面に示す方向又は位置関係に基づくものであり、本考案についての説明の利便性や簡略化を目的としたものに過ぎず、言及した装置又は素子が特定の方向を有していなければならない、或いは特定の方向に構成され操作されなければならないことを示唆又は暗示するものではないため、本考案を制限するものと理解してはならない。
【００２６】
また、「第一の」、「第二の」等の技術用語は説明のためのみに使用したものであって、相対的な重要性又はそれが指す技術特徴の数を示唆又は暗示すると理解してはならない。そのため、「第一の」、「第二の」で限定された特徴は、一つ又は複数の当該特徴を備えることを明示又は暗示することができる。本考案の説明においては特に説明がない限り、「複数」は二つ又は二つ以上であることを意味する。
【００２７】
瓦の製造過程に必要とされる材料は様々であり、製造工程が異なる。製造工程において実現できない凹凸しわ構造の瓦に関して、直接当接するという実装方式を用いると防水の要件を満たすことができない。よって、複数の瓦を実装して建物を覆うために、本考案の例示的実施形態における瓦の実装構造では、図１に示すように、凹凸しわ構造を有しない第一の瓦０１と第二の瓦０２の実装が第一の瓦０１と第二の瓦０２の間に設けられる係合溝０３によって実現される。具体的には、まず係合溝０３を指定位置に実装した後、第一の瓦０１と第二の瓦０２の端部を対応させて係合溝０３内に係合し、これにより隣接する瓦の実装固定を実現している。上述の「凹凸しわ構造」とは、瓦の辺縁に設けることで他の瓦と繋止して結合する構造をいう。
【００２８】
しかし、上述した実施形態において係合溝０３は先に屋根に実装する必要がある。係合溝０３を固定した後に瓦の熱膨張冷収縮変形で瓦ごとの寸法に差が生じた、或いは係合溝０３の実装精度が低かったといった場合、横方向に隣接する二つの係合溝０３の相対的な位置が不正確になることで、瓦を係合溝０３に実装できなくなったり、実装したのち瓦が係合溝０３から離脱して水漏れを招いたりしてしまう。よって、実装操作が比較的複雑で水漏れしやすいと言える。
【００２９】
上記のような課題を解決するために、図２、図３、図４、図５に示すように、本考案の一部の実施形態では曲面瓦の実装構造を提供する。前記曲面瓦の実装構造は、第一の曲面瓦１と第二の曲面瓦２を含み、第一の曲面瓦１と第二の曲面瓦２は何れも瓦本体３を含み、瓦本体３の両端はそれぞれ第一の弧状当接部３１と第二の弧状当接部３２であり（第一の曲面瓦１の第二の弧状当接部３２、第二の曲面瓦２の第一の弧状当接部３１は図示していない）、第一の弧状当接部３１の弧状面は下方を向き、第二の弧状当接部３２の弧状面は上方を向き、第一の曲面瓦１の第一の弧状当接部３１が第二の曲面瓦２の第二の弧状当接部３２に当接されており、第一の曲面瓦１と第二の曲面瓦２の当接箇所に防水構造が設けられている。
【００３０】
本考案の一部の実施形態の曲面瓦の実装構造では、第一の曲面瓦１の第一の弧状当接部３１が第二の曲面瓦２の第二の弧状当接部３２に当接することによって曲面瓦を実装しており、実装操作が簡単である。また第一の弧状当接部３１と第二の弧状当接部３２の成型は特定の工程や材料を必要とせず、製造しやすい面がありコストを削減できる。また防水のため、第一の曲面瓦１と前記第二の曲面瓦２の当接箇所には防水構造が設けられている。前記防水構造については以下の実施形態を通して詳細に説明する。
【００３１】
図２、図３、図４、図５に示すように、第一の曲面瓦１と第二の曲面瓦２に関しては当接箇所の部分的構造のみを示し、すべての構造を示していない。即ち、第一の曲面瓦１の第一の弧状当接部３１と第二の曲面瓦２の第二の弧状当接部３２のみ示しており、第一の曲面瓦１の第二の弧状当接部３２と第二の曲面瓦２の第一の弧状当接部３１は示していない。
【００３２】
一部の実施形態において、図２に示すように、前記防水構造は第一の止水構造４を含み、第一の曲面瓦１の第一の弧状当接部３１の前端と第二の曲面瓦２の第二の弧状当接部３２が接触する位置を第一の位置とし、前記第一の止水構造４は前記第一の位置に設けられている。第一の止水構造４は第一の位置からの水漏れを防止でき、弧状面が上方を向いている第二の弧状当接部３２内に水を隔離して排出する。このように前記第一の止水構造４は一つの防水構造を形成する。
【００３３】
一部の実施形態において、図２、図３、図４、図５に示すように、第二の弧状当接部３２の弧状面は上方を向き、送水に用いられる。第二の弧状当接部３２の弧状面底部と第一の位置の高さの差によって送水量が決まるが、水量が余りに多いと第一の位置が水没する恐れがあり、それにより第一の位置に設けられた第一の止水構造４は大きな水圧を受けたり水に長時間つかったりしてしまい、ひいては第一の止水構造４の寿命に影響を与えることになる。そのため、第一の位置は第二の曲面瓦２の第二の弧状当接部３２の弧状面底部よりも高くし、前記第一の位置と第二の曲面瓦２の第二の弧状当接部３２の弧状面底部の高さの差でもう一つの防水構造を形成する。例示したように当該高さの差が５ｍｍより大きければ、送水時に水面が第一の位置の第一の止水構造４に接触しないことが一般的に保証される。
【００３４】
一部の実施形態において、前記第一の位置と前記第二の曲面瓦の第二の弧状当接部の弧状面底部の間の高さの差を大きくしてあるが、当該高さの差のみにより一つの防水構造としてもよい。例示したように、前記第一の位置と前記第二の曲面瓦の第二の弧状当接部の弧状面底部の高さの差は１０ｍｍより大きく、これを一つの防水構造としてもよい。例えば雨の少ない地域ではそのように運用可能である。当該高さを前記第一の止水構造４と組み合わせれば優れた防水効果が得られる。
【００３５】
一部の実施形態においては、図５に示すように、前記第二の曲面瓦２の前記第二の弧状当接部３２の前端と前記第一の曲面瓦１の第一の弧状当接部３１が接触する位置を第二の位置とし、前記防水構造が第二の止水構造６を含み、前記第二の位置に前記第二の止水構造６が設けられるようにしている。前記第二の止水構造６は単独で一つの防水構造としてもよいし、前記第一の止水構造４と組み合わせて使用してもよい。また、第一の止水構造４を組み合わせるのみならず、前記第一の位置と前記第二の曲面瓦２の第二の弧状当接部３２の弧状面底部の高さの差で形成される防水構造をも加えて組み合わせ、使用することも可能である。さらには、前記第一の位置と第二の曲面瓦２の第二の弧状当接部３２の弧状面底部の高さの差で形成される防水構造と組み合わせて使用することも可能である。具体的には、第一の止水構造４が無効化されるなどの事態があった場合、水が第一の位置から漏れた後、第二の位置に設けた第二の止水構造６が第二の曲面瓦２の第二の弧状当接部３２の前端からの水漏れを防止し、もう一つの防水構造を形成する。これにより、曲面瓦の上部から下部、また建物の内部への水漏れを防止することができる。
【００３６】
一部の実施形態において、豪雨などで第二の弧状当接部３２の送水量が大きい場合、或いは第一の位置と第二の曲面瓦２の第二の弧状当接部３２の弧状面底部の高さの差が小さい場合、第一の止水構造４は大きな水圧を受けたり水に長時間つかったりすることで密封機能に影響が及ぶことが考えられる。そうなると第一の位置から水が漏れて第一の位置と第二の位置との間に入るが、このとき水量が第二の位置を超えさえしなければ、水は依然として第二の弧状当接部３２の弧状面内に溜まり、送水を続けられる。よって、第一の止水構造が無効化した場合でも瓦が正常に使用でき、建物内に水漏れすることがないために、第一の位置と第二の位置の高さを限定することにより十分な送水量を確保できる。図７では、例示したように第二の位置が第一の位置よりも高く、かつ高さの差が１０ｍｍより大きくなるようにしてあり、第二の位置と第一の位置との高さの差でもう一つの防水構造を形成している。この防水構造は少なくとも上述した防水構造の何れとも組み合わせることができるが、単独で一つの防水構造としてもよい。例えば、当該防水構造を第一の止水構造４と組み合わせれば、第一の止水構造４が無効化されたときに当該防水構造が防水の役割を果たすことができる。
【００３７】
第一の曲面瓦と第二の曲面瓦が当接する場合、第一の曲面瓦１の第一の弧状当接部３１の前端が第二の曲面瓦２の第二の弧状当接部３２に接触するほか、第一の位置に第一の止水構造４を設けることにより、第一の曲面瓦と第二の曲面瓦を実装すると同時に防水機能を確保することができる。しかし第二の曲面瓦２の第二の弧状当接部３２の前端が第一の曲面瓦１の第一の弧状当接部３１に当接する可能性があり、かつそれは硬接触であるため、瓦が割れるリスクがある。図３では例示したように、実装の際に第二の曲面瓦２の第二の弧状当接部３２の前端と第一の曲面瓦１の第一の弧状当接部３１の間に十分な隙間を残すことで、硬接触を回避している。また瓦の熱膨張冷収縮変形により全体的な寸法が変化する可能性があるため、隙間を残したとしても硬接触の問題が生じることが考えられる。よって図４に示すように、第二の曲面瓦２の第二の弧状当接部３２の前端と第一の曲面瓦１の第一の弧状当接部３１が接触する位置を第二の位置とし、第二の位置に緩衝構造５を設けている。第二の位置に緩衝構造５を設けることで二つの瓦を隔て、瓦の寸法が熱膨張冷収縮変形により変化したとしても硬接触の問題が生じないようにしている。
【００３８】
このほか第一の止水構造４を第一の位置に設けることで、防水の役割を果たしつつ、第一の曲面瓦１の第一の弧状当接部３１の前端が第二の曲面瓦２の第二の弧状当接部３２に硬接触する問題も避けることができる。同様に、緩衝構造５を第二の位置に設けることで、緩衝という役割を果たして硬接触の問題を避けつつ、防水という役割も果たすことができる。具体的には、止水構造４が無効化されるなどの事態があった場合、水が第一の位置から漏れた後、第二の位置に設けた緩衝構造により第二の曲面瓦２の第二の弧状当接部３２の前端からの水漏れを防止することができる。
【００３９】
一部の実施形態において、第二の止水構造６と緩衝構造５は何れも前記第二の位置に設けられる。具体的には図６に示すように、第二の止水構造６と緩衝構造５は前記第一の曲面瓦１と第二の曲面瓦２の当接位置に沿って間隔をおいて設けられ、第二の曲面瓦２の前記第二の弧状当接部３２の前端と前記第一の曲面瓦１の第一の弧状当接部３１が接触する位置は、効率的に防水するのみならず緩衝機能をも有することになる。
【００４０】
第一の止水構造４、第二の止水構造６、緩衝構造５を対応する位置に確実に固定し、かつ操作の利便性を確保するために、第一の止水構造４は第一の位置に接着し、第二の止水構造６と緩衝構造５は第二の位置に接着する。これにより、実装の際に接着接続の利便性が増すほか、第一の止水構造４、第二の止水構造６、緩衝構造５を対応する位置に確実に固定できる。
【００４１】
第一の止水構造４、第二の止水構造６、緩衝構造５の材料は同一であるか又は異なるが、防水性能と一定程度の弾力性を確保する必要がある。例えば、第一の止水構造４、第二の止水構造６、緩衝構造５は防水接着剤塗布層または止水パッキンである。うち防水接着剤塗布層は直接塗布する構造接着剤や防水シリコンゴム、アスファルトなどの防水材料が採用でき、止水パッキンは、例えばシリコンゴム、ニトリルゴム、フッ素ゴム、エチレンプロピレンジエンゴム、ポリウレタンなどの密封材料からなるゴム製の止水パッキンが採用できる。上記材料によって作成される止水パッキンには密封性が保証される範囲で一定程度の弾力性を持たせ、その弾力性により天候変化の影響を受けずに防水できるようにする。
【００４２】
具体的に言えば、第一の止水構造４、第二の止水構造６、緩衝構造５はシリコン接着剤又は耐久性の強いテープで曲面瓦の対応する位置に接着しておくことができる。
【００４３】
第二の止水構造６と緩衝構造５が何れも防水接着剤塗布層または止水パッキンから選択されているならば、前記第二の位置には第二の止水構造６又は緩衝構造５を設けるのみでよい。なぜなら、防水接着剤塗布層または止水パッキンは防水機能を有するのみならず一定程度の弾力性も有するので、全体的な実装構造を簡略化するためにそのうちの一種のみを設ければよいからである。
【００４４】
第一の止水構造４、第二の止水構造６、緩衝構造５がゴム製の止水パッキンである場合、止水パッキンの具体的な形状構造は様々なものを採用できる。図８に示した例は左から右の順で、止水パッキンの横断面がそれぞれ矩形、Ｌ形、Ｕ形である場合の構造概念図である。止水パッキンは対応位置の二つの瓦を隔ててかつ防水機能に影響を与えないことが必要であるが、これを前提とすれば様々な形状の構造で設けることができる。うち、矩形の止水パッキンは材料を削減でき、Ｕ形の止水パッキンは対応する瓦の端部を保護する効果が優れる。具体的な形状構造は必要に応じて確定できるため、ここでは限定しない。
【００４５】
硬接触の発生を防止するという役割を止水パッキンに持たせる場合、一部の実施形態においては、止水パッキンとして機能する厚さ、即ち止水パッキンとして機能する位置の厚さを２ｍｍ以上としている。この厚さは二つの瓦が接触する位置の間に位置し、止水パッキンの緩衝機能を決めるものである。止水パッキンとして機能する厚さが２ｍｍ以上であれば硬接触を防止できる。
【００４６】
一部の実施形態においては、第一の位置と第二の位置の高さの差のみでも防水効果が得られることを示している。
【００４７】
図２と図３では、第一の弧状当接部３１の形状寸法と第二の弧状当接部３２の形状寸法が異なり、それに応じて当接後の当接面積も異なっているが、これは瓦の強度及び当接後の形態にも一定の影響を与えるものである。よって、第一の弧状当接部３１と第二の弧状当接部３２の形状寸法も製造時に多少限定する必要がある。働き巾の長さが余りに短い又はアーチの高さが余りに高いと、曲率が過大となり応力集中による瓦割れが生じやすくなる。働き巾の長さが余りに長い又はアーチの高さが余りに低いと、当接する面積が広くなり材料の浪費につながる。そのため一部の実施形態においては、第一の弧状当接部３１と第二の弧状当接部３２の働き巾の長さを何れも３０〜５００ｍｍ、アーチの高さを何れも１５〜５０ｍｍとしている。
【００４８】
なお、本考案の実施の形態の曲面瓦の実装構造はソーラー瓦、セラミック瓦、金属瓦など多種多様な瓦に適用できる。
【００４９】
以上は本考案の具体的な実施形態に過ぎず、本考案の請求範囲はこれに限られない。本分野に通じた当業者が本考案公開の技術範囲内において容易に想到できる変化又は置換は、何れも本考案の保護範囲に含まれるものとする。よって、本考案の保護範囲は請求項に記述された保護範囲を基準とする。
【図１】
0003222385.tif 000003
【図２】
0003222385.tif 000004
【図３】
0003222385.tif 000005
【図４】
0003222385.tif 000006
【図５】
0003222385.tif 000007
【図６】
0003222385.tif 000008
【図７】
0003222385.tif 000009
【図８】
0003222385.tif 000010